【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
光源からの光を信号光と参照光とに分割し、被検眼を経由した前記信号光と参照光路を経由した参照光とを重畳させて干渉光を生成して検出する光学系と、
前記光学系による前記干渉光の検出結果に基づいて前記被検眼の画像を形成する画像形成手段と、
前記形成された画像を解析する解析手段と、
前記解析手段による画像の解析結果を含む検査結果情報を出力する出力手段と、
検査の種別に応じた複数の動作モードのそれぞれに対し、前記光学系、前記画像形成手段、前記解析手段及び前記出力手段のうちの少なくとも１つの動作内容が関連付けられた動作モード情報を予め記憶する記憶手段と、
前記複数の動作モードのうちの１つを指定する指定手段と、
前記指定された動作モードに関連付けられた動作内容を前記記憶部に記憶された動作モード情報を参照して特定し、前記特定された動作内容に基づいて前記光学系、前記画像形成手段、前記解析手段及び／又は前記出力手段を制御する制御手段と、
を備えることを特徴とする眼科観察装置。
【請求項２】
前記光学系は、前記被検眼を所定の固視方向に固視させるための視標を前記被検眼に呈示する固視光学系を含み、
前記動作モード情報には、前記複数の動作モードのそれぞれに対して前記固視光学系による固視方向を関連付けられており、
前記制御手段は、前記指定された動作モードに関連付けられた固視方向を前記動作モード情報を参照して特定し、更に、前記固視光学系を制御して当該特定された固視方向に固視させるための前記視標を呈示させる、
ことを特徴とする請求項１に記載の眼科観察装置。
【請求項３】
前記固視光学系は、前記視標を表示する表示デバイスと、前記表示された視標を前記被検眼に投影する投影光学系とを含み、
前記動作モード情報には、前記複数の動作モードのそれぞれに対する固視方向として、前記表示デバイス上の前記視標の表示位置が関連付けられており、
前記制御手段は、前記指定された動作モードに関連付けられた表示位置を前記動作モード情報を参照して特定し、更に、前記表示デバイスを制御して前記表示デバイス上の当該特定された表示位置に前記視標を表示させる、
ことを特徴とする請求項２に記載の眼科観察装置。
【請求項４】
前記光学系は、前記被検眼に対する前記信号光の照射位置を走査する走査手段を含み、
前記動作モード情報には、前記複数の動作モードのそれぞれに対して、前記走査手段による前記照射位置の走査パターンと、前記画像形成手段により形成される画像種別とが関連付けられており、
前記制御手段は、前記指定された動作モードに関連付けられた走査パターン及び画像種別を前記動作モード情報を参照して特定し、更に、前記走査手段を制御して当該特定された走査パターンで前記信号光の照射位置を走査させ、前記画像形成手段を制御して当該特定された画像種別の前記被検眼の画像を形成させる、
ことを特徴とする請求項１〜請求項３のいずれか一項に記載の眼科観察装置。
【請求項５】
前記解析手段は、前記被検眼の所定層の厚さを求める層厚解析と前記被検眼における病変の位置を特定する病変特定解析とを含む複数の解析処理を実行可能であり、
前記動作モード情報には、前記複数の動作モードのそれぞれに対して前記複数の解析処理のうちの少なくとも１つが関連付けられており、
前記制御手段は、前記指定された動作モードに関連付けられた解析処理を前記動作モード情報を参照して特定し、更に、前記解析手段を制御して当該特定された解析処理を実行させる、
ことを特徴とする請求項１〜請求項４のいずれか一項に記載の眼科観察装置。
【請求項６】
前記動作モード情報には、前記複数の動作モードのそれぞれに対して、前記検査結果情報に含まれる情報種別と前記出力手段による前記検査結果情報の出力レイアウトとを関連付けられており、
前記制御手段は、前記指定された動作モードに関連付けられた情報種別及び出力レイアウトを前記動作モード情報を参照して特定し、更に、前記出力手段を制御して当該特定された情報種別を含む前記検査結果情報を当該特定された出力レイアウトで配置して出力させる、
ことを特徴とする請求項１〜請求項５のいずれか一項に記載の眼科観察装置。
【請求項７】
被検眼を所定の固視方向に固視させるための視標を前記被検眼に呈示する固視光学系と、光源からの光を信号光と参照光とに分割する分割手段と、前記被検眼に対する前記信号光の照射位置を走査する走査手段と、前記被検眼を経由した前記信号光と参照光路を経由した参照光とを重畳させて干渉光を生成する重畳手段と、前記生成された干渉光を検出する検出手段とを含む光学系と、
前記検出手段による前記干渉光の検出結果に基づいて前記被検眼の画像を形成する画像形成手段と、
前記形成された画像を解析して前記被検眼の所定層の厚さを求める層厚解析と、前記形成された画像を解析して前記被検眼における病変の位置を特定する病変特定解析とを含む複数の解析処理を実行可能な解析手段と、
前記解析手段による画像の解析結果を含む検査結果情報を出力する出力手段と、
検査の種別に応じた複数の動作モードのそれぞれに対し、前記固視光学系による固視方向、前記走査手段による前記照射位置の走査パターン、前記画像形成手段により形成される画像種別、前記複数の解析処理のうちの少なくとも１つ、前記検査結果情報に含まれる情報種別、及び前記出力手段による前記検査結果情報の出力レイアウトが関連付けられた動作モード情報を予め記憶する記憶手段と、
前記複数の動作モードのうちの１つを指定する指定手段と、
前記指定された動作モードに関連付けられた固視方向、走査パターン、画像種別、解析処理、情報種別及び出力レイアウトを前記動作モード情報を参照して特定し、更に、前記固視光学系を制御して当該特定された固視方向に固視させるための前記視標を呈示させ、前記走査手段を制御して当該特定された走査パターンで前記信号光の照射位置を走査させ、前記画像形成手段を制御して当該特定された画像種別の前記被検眼の画像を形成させ、前記解析手段を制御して当該特定された解析処理を実行させ、前記出力手段を制御して当該特定された情報種別を含む前記検査結果情報を当該特定された出力レイアウトで配置して出力させる制御手段と、
を備えることを特徴とする眼科観察装置。
【請求項８】
前記複数の動作モードは、眼底の黄斑を検査するための黄斑検査モードを含み、
前記動作モード情報には、前記黄斑検査モードに対し、黄斑及びその近傍に前記信号光を照射するための黄斑用固視方向が前記固視方向として関連づけられており、格子点状に配列された複数の照射位置に順次に前記信号光を照射する３次元スキャン、放射線状に配置された複数の照射位置に順次に前記信号光を照射するラジアルスキャン又は直線状に配置された複数の照射位置に順次に前記信号光を照射するラインスキャンが前記走査パターンとして関連づけられており、前記走査パターンが前記３次元スキャンである場合には３次元画像が又は前記走査パターンが前記ラジアルスキャン若しくは前記ラインスキャンの場合には断層像が前記画像種別として関連づけられており、網膜厚を求めて所定の標準厚と比較する網膜厚解析が前記解析処理として関連づけられており、断層像及び前記網膜厚解析による前記比較の結果が前記情報種別として関連づけられており、前記断層像及び前記比較の結果を所定の配置で並べた黄斑検査テンプレートが前記出力レイアウトとして関連づけられている、
ことを特徴とする請求項７に記載の眼科観察装置。
【請求項９】
前記複数の動作モードは、眼底の視神経乳頭を検査するための乳頭検査モードを含み、
前記動作モード情報には、前記乳頭検査モードに対し、視神経乳頭及びその近傍に前記信号光を照射するための乳頭用固視方向が前記固視方向として関連づけられており、円形状に配置された複数の照射位置に順次に前記信号光を照射するサークルスキャン又は格子点状に配列された複数の照射位置に順次に前記信号光を照射する３次元スキャンが前記走査パターンとして関連づけられており、前記走査パターンが前記サークルスキャンの場合には断層像が又は前記走査パターンが前記３次元スキャンである場合には３次元画像が前記画像種別として関連づけられており、ＲＮＦＬ（網膜神経線維層）厚を求めて所定の標準厚と比較するＲＮＦＬ厚解析と網膜の孔部を検出して視神経乳頭の形状を解析する乳頭形状解析とが前記解析処理として関連づけられており、断層像と前記ＲＮＦＬ厚解析による前記比較の結果と前記乳頭形状解析の結果とが前記情報種別として関連づけられており、前記断層像と前記比較の結果と前記乳頭形状解析の結果とを所定の配置で並べた乳頭検査テンプレートが前記出力レイアウトとして関連づけられている、
ことを特徴とする請求項７に記載の眼科観察装置。
【請求項１０】
前記複数の動作モードは、緑内障の検査を行うための緑内障検査モードを含み、
前記動作モード情報には、前記緑内障検査モードに対し、黄斑及びその近傍に前記信号光を照射するための黄斑用固視方向と視神経乳頭及びその近傍に前記信号光を照射するための乳頭用固視方向とが前記固視方向として関連づけられており、格子点状に配列された複数の照射位置に順次に前記信号光を照射する３次元スキャンが前記走査パターンとして関連づけられており、黄斑及びその近傍の３次元画像と視神経乳頭及びその近傍の３次元画像とが前記画像種別として関連づけられており、ＲＮＦＬ（網膜神経線維層）厚を求めて所定の標準厚と比較するＲＮＦＬ厚解析と網膜の孔部を検出して視神経乳頭の形状を解析する乳頭形状解析とが前記解析処理として関連づけられており、断層像と前記ＲＮＦＬ厚解析による前記比較の結果と前記乳頭形状解析の結果とが前記情報種別として関連づけられており、前記断層像と前記比較の結果と前記乳頭形状解析の結果とを所定の配置で並べた緑内障診断テンプレートが前記出力レイアウトとして関連づけられている、
ことを特徴とする請求項７に記載の眼科観察装置。
【請求項１１】
前記複数の動作モードは、黄斑変性の検査を行うための黄斑変性検査モードを含み、
前記動作モード情報には、前記黄斑変性検査モードに対し、黄斑及びその近傍に前記信号光を照射するための黄斑用固視方向が前記固視方向として関連づけられており、格子点状に配列された複数の照射位置に順次に前記信号光を照射する３次元スキャンが前記走査パターンとして関連づけられており、黄斑及びその近傍の３次元画像が前記画像種別として関連づけられており、網膜厚を求めて所定の標準厚と比較する網膜厚解析とドルーゼンの分布を求めるドルーゼン解析とが前記解析処理として関連づけられており、断層像、前記網膜厚解析による前記網膜厚解析の結果及び前記ドルーゼン解析の結果が前記情報種別として関連づけられており、前記断層像、前記網膜厚解析の結果及び前記ドルーゼン解析の結果を所定の配置で並べた黄斑変性診断テンプレートが前記出力レイアウトとして関連づけられている、
ことを特徴とする請求項７に記載の眼科観察装置。
【請求項１２】
患者識別情報を入力する入力手段を更に備え、
前記制御手段は、各検査における動作モードを前記入力された患者識別情報とともに前記記憶手段に記憶させ、
前記指定手段は、前記入力手段により患者識別情報が入力されたときに、過去に当該患者識別情報とともに記憶された動作モードを前記記憶手段から検索し、
前記制御手段は、前記検索された動作モードに関連づけられた動作内容に基づいて前記光学系、前記画像形成手段、前記解析手段及び／又は前記出力手段を制御する、
ことを特徴とする請求項１〜請求項１１のいずれか一項に記載の眼科観察装置。
【請求項１３】
患者識別情報を入力する入力手段と、現在の日時を計時する計時手段とを更に備え、
前記動作モード情報には、前記動作モードに対し、当該動作モードで検査を行う時間間隔を表す検査間隔が関連づけられており、
前記制御手段は、各検査における動作モードを前記入力された患者識別情報及び前記計時された日時とともに前記記憶手段に記憶させ、
前記指定手段は、前記入力手段により患者識別情報が入力されたときに、過去に当該患者識別情報とともに記憶された動作モード及び日時を前記記憶手段から検索し、前記検索された過去の日時と前記計時手段により計時されている現在の日時との差を算出して検査間隔を求め、前記求められた検査間隔に関連づけられた動作モードを前記複数の動作モードのうちから選択し、
前記制御手段は、前記選択された動作モードに関連づけられた動作内容に基づいて前記光学系、前記画像形成手段、前記解析手段及び／又は前記出力手段を制御する、
ことを特徴とする請求項１〜請求項１１のいずれか一項に記載の眼科観察装置。
【請求項１４】
患者識別情報を入力する入力手段を更に備え、
前記制御手段は、前記解析手段により得られた解析結果に異常が存在した場合に、その旨を表す異常存在情報を前記入力された患者識別情報とともに前記記憶手段に記憶させ、
前記動作モード情報には、前記動作モードに対し、前記異常が存在した場合における動作内容の変更を表す動作内容変更情報が関連づけられており、
前記指定手段は、前記入力手段により患者識別情報が入力されたときに、過去に当該患者識別情報とともに記憶された異常存在情報を前記記憶手段から検索し、前記異常存在情報が検索された場合、前記動作内容変更情報に基づいて前記動作モードの動作内容を変更し、
前記制御手段は、前記変更後の動作内容に基づいて前記光学系、前記画像形成手段、前記解析手段及び／又は前記出力手段を制御する、
ことを特徴とする請求項１〜請求項１１のいずれか一項に記載の眼科観察装置。
【請求項１５】
被検眼の眼底に照明光を照射し、この照明光の眼底反射光を受光して前記眼底の撮影画像を形成する撮影手段を更に備え、
前記動作モード情報には、前記複数の動作モードのうちの少なくとも１つに対し、前記撮影手段の動作内容が関連づけられており、
前記指定手段により指定された動作モードに対して前記撮影手段の動作内容が関連づけられている場合、前記制御手段は、当該動作内容に基づいて前記撮影手段を制御して前記眼底の撮影画像を形成させる、
ことを特徴とする請求項１〜請求項１４のいずれか一項に記載の眼科観察装置。
【請求項１６】
前記動作モード情報により前記動作モードに対して関連づけられる動作内容を編集するための操作手段を更に備える、
ことを特徴とする請求項１〜請求項１５のいずれか一項に記載の眼科観察装置。
【手続補正２】
【補正対象書類名】明細書
【補正対象項目名】００１８
【補正方法】変更
【補正の内容】
【００１８】
上記目的を達成するために、請求項１に記載の発明は、光源からの光を信号光と参照光とに分割し、被検眼を経由した前記信号光と参照光路を経由した参照光とを重畳させて干渉光を生成して検出する光学系と、前記光学系による前記干渉光の検出結果に基づいて前記被検眼の画像を形成する画像形成手段と、前記形成された画像を解析する解析手段と、前記解析手段による画像の解析結果を含む検査結果情報を出力する出力手段と、検査の種別に応じた複数の動作モードのそれぞれに対し、前記光学系、前記画像形成手段、前記解析手段及び前記出力手段のうちの少なくとも１つの動作内容が関連付けられた動作モード情報を予め記憶する記憶手段と、前記複数の動作モードのうちの１つを指定する指定手段と、前記指定された動作モードに関連付けられた動作内容を前記記憶部に記憶された動作モード情報を参照して特定し、前記特定された動作内容に基づいて前記光学系、前記画像形成手段、前記解析手段及び／又は前記出力手段を制御する制御手段と、を備えることを特徴とする眼科観察装置である。
【手続補正３】
【補正対象書類名】明細書
【補正対象項目名】００２４
【補正方法】変更
【補正の内容】
【００２４】
また、請求項７に記載の発明は、被検眼を所定の固視方向に固視させるための視標を前記被検眼に呈示する固視光学系と、光源からの光を信号光と参照光とに分割する分割手段と、前記被検眼に対する前記信号光の照射位置を走査する走査手段と、前記被検眼を経由した前記信号光と参照光路を経由した参照光とを重畳させて干渉光を生成する重畳手段と、前記生成された干渉光を検出する検出手段とを含む光学系と、前記検出手段による前記干渉光の検出結果に基づいて前記被検眼の画像を形成する画像形成手段と、前記形成された画像を解析して前記被検眼の所定層の厚さを求める層厚解析と、前記形成された画像を解析して前記被検眼における病変の位置を特定する病変特定解析とを含む複数の解析処理を実行可能な解析手段と、前記解析手段による画像の解析結果を含む検査結果情報を出力する出力手段と、検査の種別に応じた複数の動作モードのそれぞれに対し、前記固視光学系による固視方向、前記走査手段による前記照射位置の走査パターン、前記画像形成手段により形成される画像種別、前記複数の解析処理のうちの少なくとも１つ、前記検査結果情報に含まれる情報種別、及び前記出力手段による前記検査結果情報の出力レイアウトが関連付けられた動作モード情報を予め記憶する記憶手段と、前記複数の動作モードのうちの１つを指定する指定手段と、前記指定された動作モードに関連付けられた固視方向、走査パターン、画像種別、解析処理、情報種別及び出力レイアウトを前記動作モード情報を参照して特定し、更に、前記固視光学系を制御して当該特定された固視方向に固視させるための前記視標を呈示させ、前記走査手段を制御して当該特定された走査パターンで前記信号光の照射位置を走査させ、前記画像形成手段を制御して当該特定された画像種別の前記被検眼の画像を形成させ、前記解析手段を制御して当該特定された解析処理を実行させ、前記出力手段を制御して当該特定された情報種別を含む前記検査結果情報を当該特定された出力レイアウトで配置して出力させる制御手段と、を備えることを特徴とする眼科観察装置である。